(57)【要約】第１構成から変形可能であり第１構成又は別の構成に再組立可能である建築構造物を提供する。建築構造物は、構造物用のシステム及びキット、束柱アンカー、床構造物用のキット、床構造物を組み立てる方法、壁及び天井支持システム、電気接続箱支持材、及びフレームアセンブリ用のキットを含む。【選択図】図１Ａ
2013525648.tif 000002
【特許請求の範囲】
【請求項１】
分解可能且つ再組立可能な建築構造物を施工するための測定不要システムであって、
複数の取り外し可能なアタッチメントを係入する複数の規則的に離間したアタッチメント受け要素を有する複数の束柱及び根太を備えた、複数の組立式建築構成要素を、第１構成の建築構造物に組み立て、前記アタッチメントは、前記複数の束柱及び根太を分解可能に接合し、
前記規則的に離間したアタッチメント受け要素の規則的な位置決めにより、測定不要アセンブリを提供し、前記建築構造物は、部分的又は完全に分解可能且つ第１構成又は異なる構成に再組立可能である測定不要システム。
【請求項２】
請求項１に記載のシステムにおいて、前記根太は、相互に接続されて根太を形成する少なくとも１つの細長の根太セクションを備えるシステム。
【請求項３】
請求項２に記載のシステムにおいて、前記根太は、前記少なくとも２つの細長の根太セクションを相互に接合して前記根太を形成する少なくとも１つの固定部材をさらに備えるシステム。
【請求項４】
請求項３に記載のシステムにおいて、前記束柱及び前記根太はそれぞれ、配管、配線、暖房、換気、空調（ＨＶＡＣ）ダクティング、及び／又はセントラルバキュームダクティングを受ける少なくとも１つの開口をさらに備えるシステム。
【請求項５】
分解可能且つ再組立可能な建築構造物を施工するためのキットであって、
第１外壁パネルアタッチメント及び第２外壁パネルアタッチメントを備えた、前記構造物の内部及び外部を画定する外壁パネルと、
少なくとも２つの略細長の束柱であり、前記第１外壁パネルアタッチメント及び前記第２外壁パネルアタッチメントの一方をそれぞれ受け止める少なくとも１つのアタッチメント受け要素をそれぞれが備えることにより、前記第１壁パネルアタッチメント及び前記第２壁パネルアタッチメントが前記アタッチメント受け要素に受け止められると、前記壁パネルが前記少なくとも２つの束柱から離間して前記パネルと前記束柱それぞれとの間に空間が画定される少なくとも２つの略細長の束柱と、
前記壁パネルに隣接して前記束柱それぞれの間に係合するよう構成した絶縁材と
を備え、前記空間は、前記構造物の前記内部と前記外部との間の熱橋効果を実質的に低減し、前記建築構造物は、部分的又は完全に分解されて第１構成又は異なる構成に組み立て直されるよう構成したキット。
【請求項６】
請求項１に記載のキットにおいて、前記絶縁材は、絶縁パネル、絶縁繊維、絶縁フォーム、吹き付け絶縁フォーム、ミネラルウール、セルロース、又はそれらの組み合わせから選択されるキット。
【請求項７】
請求項６に記載のキットにおいて、前記絶縁パネルは、前記束柱それぞれの上に突出するリップをさらに備えるキット。
【請求項８】
請求項６又は７に記載のキットにおいて、前記第１壁パネルアタッチメント及び前記第２壁パネルアタッチメントはそれぞれ、前記絶縁パネルを所定位置に固定する固定要素をさらに備えるキット。
【請求項９】
請求項８に記載のキットにおいて、前記固定要素は少なくとも１つの舌部であるキット。
【請求項１０】
分解可能な外壁パネルアタッチメントであって、
適合するアタッチメント受け要素に受け止められる第１分解可能アタッチメント部材と、
適合する外壁パネルを受け止める第２分解可能アタッチメント部材と、
前記第１アタッチメント部材及び前記第２アタッチメント部材を接続するスペーサと
を備えた分解可能な外壁パネルアタッチメント。
【請求項１１】
請求項１０に記載の分解可能な外壁パネルアタッチメントにおいて、前記スペーサは固定要素をさらに備える分解可能な外壁パネルアタッチメント。
【請求項１２】
請求項１１に記載の分解可能な外壁パネルアタッチメントにおいて、前記固定要素は少なくとも１つの舌部である分解可能な外壁パネルアタッチメント。
【請求項１３】
３次元軸に沿って調整可能な束柱アンカーであって、
建築基礎に固着され、第１軸に沿って調整可能な装着部材を有するベース部材と、
保持部材であり、
前記装着部材に取り付け可能であり、第２軸に沿って調整可能な座部、及び
束柱を受け、第３軸に沿って調整可能な冠部
を有する保持部材と
を備え、基礎と正確に位置合わせされてそこに取り付ける前記束柱を水平にするよう３次元軸に沿って調整可能である束柱アンカー。
【請求項１４】
請求項１３に記載の束柱アンカーにおいて、前記装着部材は、前記第１軸に沿った前記座部の調整を可能にする第１調整部材を備える束柱アンカー。
【請求項１５】
請求項１３又は１４に記載の束柱アンカーにおいて、前記装着部材は少なくとも１つのねじロッドを備える束柱アンカー。
【請求項１６】
請求項１５に記載の束柱アンカーにおいて、前記装着部材は２つのねじロッドからなる束柱アンカー。
【請求項１７】
請求項１３又は１４に記載の束柱アンカーにおいて、前記装着部材は装着継手を備える束柱アンカー。
【請求項１８】
請求項１７に記載の束柱アンカーにおいて、前記装着継手は蟻継ぎである束柱アンカー。
【請求項１９】
請求項１５又は１６に記載の束柱アンカーにおいて、前記第１調整部材は前記ねじロッドに取り付けられるねじナットを備える束柱アンカー。
【請求項２０】
請求項１３〜１９のいずれか１項に記載の束柱アンカーにおいて、前記座部は、前記第２軸に沿った前記座部の調整を可能にする第２調整部材を備える束柱アンカー。
【請求項２１】
請求項２０に記載の束柱アンカーにおいて、前記第２調整部材は少なくとも１つの開口を備える束柱アンカー。
【請求項２２】
請求項２０に記載の束柱アンカーにおいて、前記第２調整部材は２つの開口を備える束柱アンカー。
【請求項２３】
請求項２１又は２２に記載の束柱アンカーにおいて、前記少なくとも１つの開口は、略円形、卵形、楕円形、及び矩形の開口の少なくとも１つである束柱アンカー。
【請求項２４】
請求項２０〜２３のいずれか１項に記載の束柱アンカーにおいて、前記第２調整部材は固定部材を受けるよう構成される束柱アンカー。
【請求項２５】
請求項１３〜２４のいずれか１項に記載の束柱アンカーにおいて、前記冠部は、前記第３軸に沿った前記冠部の調整を可能にする第３調整部材を備える束柱アンカー。
【請求項２６】
請求項２５に記載の束柱アンカーにおいて、前記第３調整部材は少なくとも１つの開口を備える束柱アンカー。
【請求項２７】
請求項２６に記載の束柱アンカーにおいて、前記少なくとも１つの開口は、略円形、卵形、楕円形、及び矩形の開口の少なくとも１つである束柱アンカー。
【請求項２８】
請求項２５〜２７のいずれか１項に記載の束柱アンカーにおいて、前記第３調整部材は、前記冠部を前記座部に固定する少なくとも１つの固定部材を受ける束柱アンカー。
【請求項２９】
請求項２８に記載の束柱アンカーにおいて、前記少なくとも１つの固定部材は、ねじボルト及びねじナットである束柱アンカー。
【請求項３０】
請求項１３〜２９のいずれか１項に記載の束柱アンカーにおいて、前記冠部は束柱受け部材を備える束柱アンカー。
【請求項３１】
請求項３０に記載の束柱アンカーにおいて、前記束柱受け部材は締結具受け要素を備える束柱アンカー。
【請求項３２】
請求項３０又は３１に記載の束柱アンカーにおいて、前記束柱受け部材はブラケットを備える束柱アンカー。
【請求項３３】
請求項１３〜３２のいずれか１項に記載の束柱アンカーにおいて、前記束柱アンカーは、前記建築基礎への埋設、機械的固着、及び／又は接着的固着により、前記建築基礎に固着される束柱アンカー。
【請求項３４】
分解可能な床アンカーシステム用のキットであって、
少なくとも２つの根太であり、該根太に沿った所定位置に位置付けた少なくとも１つのブリッジ要素をそれぞれが備える少なくとも２つの根太と、
前記ブリッジ要素に受け止められるラグを各端に備える少なくとも１つの二次根太と
を備え、該二次根太は、前記少なくとも２つの根太のそれぞれに挿入されると、該少なくとも２つの根太に対して略垂直となり、床材面を受ける平面を形成し、
前記分解可能な床アンカーシステムを部分的又は完全に分解して第１構成又は異なる構成に組み立て直すことができるキット。
【請求項３５】
請求項３４に記載のキットにおいて、前記根太は２つ以上のブリッジ要素を備えるキット。
【請求項３６】
請求項３５に記載のキットにおいて、前記２つ以上のブリッジ要素は固定の規則的間隔で離間するキット。
【請求項３７】
請求項３４〜３６のいずれか１項に記載のキットにおいて、前記ラグは締結具受け要素をさらに備えるキット。
【請求項３８】
請求項３４〜３７のいずれか１項に記載のキットにおいて、前記根太は少なくとも１つの締結具受け要素を備えるキット。
【請求項３９】
請求項３４〜３８のいずれか１項に記載のキットにおいて、前記根太は複数の締結具受け要素を備えるキット。
【請求項４０】
請求項３４〜３８のいずれか１項に記載のキットにおいて、前記二次根太は少なくとも１つの締結具受け要素を備えるキット。
【請求項４１】
請求項３４〜４０のいずれか１項に記載のキットにおいて、前記二次根太は複数の締結具受け要素を備えるキット。
【請求項４２】
請求項３９〜４１のいずれか１項に記載のキットにおいて、前記締結具受け要素は固定の規則的間隔で離間するキット。
【請求項４３】
請求項３４〜４２のいずれか１項に記載のキットにおいて、前記根太は、相互に接続されて該根太を形成する少なくとも２つの細長の根太セクションを備えるキット。
【請求項４４】
請求項４３に記載のキットにおいて、前記根太は、前記少なくとも２つの根太セクションを相互に接合して前記根太を形成する少なくとも１つの固定部材をさらに備えるキット。
【請求項４５】
請求項３４〜４４のいずれか１項に記載のキットにおいて、前記梁は、配管、配線、暖房、換気、空調（ＨＶＡＣ）ダクティング、及び／又はセントラルバキュームダクティングを受ける少なくとも１つの開口をさらに備えるキット。
【請求項４６】
分解可能且つ再組立可能な床構造物を組み立てる方法であって、
ａ）請求項３４〜４５のいずれか１項に記載の複数の根太及び複数の二次根太を備えた複数の組立式床構成要素を、前記複数の根太を相互に平行に配置し、前記二次根太の各端に設けたラグを各対向ブリッジ要素に挿入することにより、分解可能な床構造物に組み立てるステップ
を含み、前記根太及び前記二次根太は、相互に対して略垂直であり、床材面を受ける平面を形成し、前記床構造物は、部分的又は完全に分解可能且つ第１構成又は異なる構成に再組立可能である方法。
【請求項４７】
請求項４６に記載の方法において、前記ステップａ）の後に、
ｂ）前記複数の二次根太を前記複数の根太に締結するステップ
をさらに含む方法。
【請求項４８】
請求項４６又は４７に記載の方法において、前記ステップｂ）の後に、
ｃ）前記分解可能な床構造物に床材面を重ねるステップ
をさらに含む方法。
【請求項４９】
分解可能な床を組み立てる方法であって、
ａ）請求項３４〜４５のいずれか１項に記載の複数の根太及び複数の二次根太、並びに複数の床用タイルを備えた組立式床構成要素を、前記複数の根太を相互に平行に配置し、前記二次根太の各端に設けたラグを各対向ブリッジ要素に挿入することにより、分解可能な床構造物に組み立てることによって、前記複数の床用タイルを受ける平面を形成するステップと、
ｂ）前記複数の床用タイルを前記分解可能な床構造物に重ねるステップと
を含み、前記根太及び前記二次根太は、相互に対して略垂直であり、複数の床用タイルを受ける平面を形成し、前記床構造物を部分的又は完全に分解して第１構成又は異なる構成に組み立て直すことができる方法。
【請求項５０】
請求項４９に記載の方法において、前記ステップｂ）の後に、
ｉ）前記床用タイルを重ねる前又は重ねた後に前記複数の二次根太を前記複数の根太に締結するステップ
をさらに含む方法。
【請求項５１】
分解可能な天井アンカーシステム用のキットであって、
少なくとも２つの根太であり、天井野縁受け要素を受けるために該根太に沿った所定位置に位置付けた少なくとも１つの主要要素をそれぞれが備える少なくとも２つの根太と、
少なくとも１つの胴縁を受けるよう構成した少なくとも１つの天井野縁受け要素と
を備え、前記胴縁は、前記天井野縁受け要素に挿入されると、天井面を受ける平面を形成し、
前記分解可能な天井アンカーシステムを部分的又は完全に分解して第１構成又は異なる構成に組み立て直すことができるキット。
【請求項５２】
請求項５１に記載のキットにおいて、前記根太は、固定の規則的間隔で離間した複数の受け要素を備えるキット。
【請求項５３】
請求項５１又は５２に記載のキットにおいて、前記天井野縁受け要素は、各端に少なくとも１つの固定要素を備えるキット。
【請求項５４】
請求項５３に記載のキットにおいて、前記固定要素は、前記天井野縁受け要素を前記根太に固定する少なくとも１つの締結具受け要素を備えるキット。
【請求項５５】
請求項５３に記載のキットにおいて、前記固定要素は、前記天井野縁受け要素を前記根太に固定するよう曲げることができる少なくとも１つの舌部を備えるキット。
【請求項５６】
請求項５１〜５５のいずれか１項に記載のキットにおいて、前記天井野縁受け要素は、胴縁を受ける少なくとも１つの胴縁把持部材を備えるキット。
【請求項５７】
請求項５１〜５５のいずれか１項に記載のキットにおいて、前記天井野縁受け要素は、胴縁を受ける複数の胴縁把持部材を備えるキット。
【請求項５８】
分解可能且つ再組立可能な天井構造物を組み立てる方法であって、
ａ）請求項５１〜５７のいずれか１項に記載の複数の根太及び複数の天井野縁受け要素を備えた複数の組立式床構成要素を、複数の胴縁を前記天井野縁受け要素に配置することにより組み立てるステップ
を含み、前記根太、前記天井野縁受け要素、及び前記胴縁は、部分的又は完全に分解可能且つ第１構成又は異なる構成に再組立可能である天井面を受ける平面を形成する方法。
【請求項５９】
分解可能な胴縁支持材であって、
分解可能な胴縁把持部材であり、
スペーサ、及び
該スペーサの両端に接続した第１及び第２フック部材
の少なくとも一方を備えた分解可能な胴縁把持部材と、
適合するアタッチメント受け要素に受け止められて前記分解可能な胴縁把持部材に接続される分解可能なアタッチメント部材と
を備えた分解可能な胴縁支持材。
【請求項６０】
請求項５９に記載の分解可能な胴縁支持材において、前記胴縁支持材は一体的である分解可能な胴縁支持材。
【請求項６１】
分解可能且つ再組立可能な壁支持システム用のキットであって、
少なくとも１つの胴縁と、
少なくとも２つの請求項５９又は６０に記載の胴縁支持材と
を備えたキット。
【請求項６２】
分解可能且つ再組立可能な壁用のキットであって、
内部及び外部を画定する壁パネルと、
少なくとも１つの胴縁と、
少なくとも２つの請求項５９又は６０に記載の胴縁支持材と、
少なくとも２つの略細長の束柱であり、胴縁支持材を受け止める少なくとも１つのアタッチメント受け要素をそれぞれが備えることにより、前記少なくとも１つの胴縁が前記少なくとも２つの胴縁支持材に受け止められると、前記壁パネルが前記少なくとも２つの略細長の束柱から離間されて前記パネルと前記略細長の束柱それぞれとの間に空間が画定される少なくとも２つの略細長の束柱と
を備え、前記空間は、前記分解可能な壁の前記内部と前記外部との間の熱橋効果を実質的に低減し、前記壁を部分的又は完全に分解して第１構成又は異なる構成に組み立て直すことができるキット。
【請求項６３】
請求項６２に記載のキットにおいて、前記壁パネルに隣接して前記束柱それぞれの間に係合するよう構成した絶縁要素をさらに備えたキット。
【請求項６４】
請求項６３に記載のキットにおいて、前記絶縁要素は、絶縁パネル、絶縁繊維、及び絶縁フォームの少なくとも１つであるキット。
【請求項６５】
誠請求項６１〜６４のいずれか１項に記載のキットにおいて、前記胴縁は消音材から作られるキット。
【請求項６６】
分解可能な胴縁支持材であって、
少なくとも１つの細長の平面部材であり、
胴縁を固定する第１及び第２フック部材を有する少なくとも１つの胴縁把持部材と、
適合するアタッチメントを受ける複数の規則的に離間したアタッチメント受け要素と
を備えた少なくとも１つの細長の平面部材
を備えた分解可能な胴縁支持材。
【請求項６７】
請求項６６に記載の分解可能な胴縁支持材において、スペーサ部材により接続した２つの細長の平面部材を備えた分解可能な胴縁支持材。
【請求項６８】
請求項６７に記載の分解可能な胴縁支持材において、該胴分解可能な縁支持材はＵ字形である分解可能な胴縁支持材。
【請求項６９】
請求項６６〜６８のいずれか１項に記載の分解可能な胴縁支持材において、該胴縁支持材は一体的である分解可能な胴縁支持材。
【請求項７０】
分解可能且つ再組立可能な壁支持システム用のキットであって、
少なくとも１つの胴縁と、
少なくとも２つの請求項６６〜６８のいずれか１項に記載の胴縁支持材と
を備えたキット。
【請求項７１】
分解可能且つ再組立可能な壁用のキットであって、
内部及び外部を画定する壁パネルと、
少なくとも１つの胴縁と、
少なくとも２つの請求項６６〜６８に記載の胴縁支持材と、
少なくとも２つの略細長の束柱であり、分解可能な胴縁支持材を受け止める少なくとも１つのアタッチメント受け要素をそれぞれが備えることにより、前記少なくとも１つの胴縁が前記少なくとも２つの胴縁支持材に受け止められると、前記壁パネルが前記少なくとも２つの略細長の束柱から離間されて前記パネルと前記略細長の束柱それぞれとの間に空間が画定される少なくとも２つの略細長の束柱と
を備え、前記空間は、前記分解可能な壁の前記内部と外前記部との間の熱橋効果を実質的に低減し、前記壁を部分的又は完全に分解して第１構成又は異なる構成に組み立て直すことができるキット。
【請求項７２】
請求項６２に記載のキットにおいて、前記壁パネルに隣接して前記束柱それぞれの間に係合するよう構成した絶縁要素をさらに備えたキット。
【請求項７３】
請求項６３に記載のキットにおいて、前記絶縁要素は、絶縁パネル、絶縁繊維、及び絶縁フォームの少なくとも１つであるキット。
【請求項７４】
請求項６１〜６４のいずれか１項に記載のキットにおいて、前記胴縁は消音材から作られるキット。
【請求項７５】
分解可能な電気接続箱支持材であって、
分解可能な胴縁把持部材であり、
スペーサ、及び
該スペーサの両端に接続したフック部材
の少なくとも一方を備えた分解可能な胴縁把持部材と、
前記分解可能な胴縁支持材に接続され、少なくとも１つの電気接続箱を収容する開口を備えたハウジングと
を備えた分解可能な電気接続箱支持材。
【請求項７６】
請求項７５に記載の分解可能な電気接続箱支持材において、前記少なくとも１つの電気接続箱を前記開口内に固設する少なくとも１つの固設要素をさらに備えた分解可能な電気接続箱支持材。
【請求項７７】
請求項７６に記載の分解可能な電気接続箱支持材において、前記少なくとも１つの固設要素は締結具受け開口を備える分解可能な電気接続箱支持材。
【請求項７８】
請求項７６に記載の分解可能な電気接続箱支持材において、該電気接続箱支持材は、前記スペーサの両端に接続した第１及び第２フック部材を備える分解可能な電気接続箱支持材。
【請求項７９】
請求項７５〜７８のいずれか１項に記載の分解可能な電気接続箱支持材において、該分解可能な電気接続箱支持材は一体的である分解可能な電気接続箱支持材。
【請求項８０】
請求項７５〜７９のいずれか１項に記載の分解可能な電気接続箱支持材において、該分解可能な電気接続箱支持材は少なくとも１つの電装箱を内部にさらに備える分解可能な電気接続箱支持材。
【請求項８１】
分解可能且つ再組立可能なフレーム用のキットであって、
内面及び外面を有するフレームアセンブリであり、
前記内面に面しており、前記フレームアセンブリを略平行な第１及び第２束柱に固定する少なくとも２つのフレームアセンブリアタッチメント
を備え、前記束柱は、前記フレームアセンブリアタッチメントを受ける複数の規則的に離間したアタッチメント受け要素を有する、フレームアセンブリと、
第１及び第２胴縁受け棒材であり、
少なくとも１つの胴縁を受ける少なくとも１つの胴縁把持部材
を備え、前記略平行な第１及び第２束柱に対して略垂直に固定されて前記フレームアセンブリの周りに境界を形成するよう構成した、第１及び第２胴縁受け棒材と
を備えたキット。
【請求項８２】
請求項８１に記載のキットにおいて、前記胴縁把持部材は胴縁を固定する第１及び第２フック部材を備えるキット。
【請求項８３】
請求項８１に記載のキットにおいて、前記胴縁受け棒材は２つの胴縁を受けるよう構成されるキット。
【請求項８４】
請求項８１に記載のキットにおいて、前記フレームアセンブリは窓アセンブリ又はドアアセンブリであるキット。
【請求項８５】
請求項８１に記載のキットにおいて、前記フレームアセンブリはドアアセンブリであるキット。
【請求項８６】
分解可能且つ再組立可能なフレーム用のキットであって、
フレームアセンブリであり、
相互に略平行な少なくとも２つの水平フレーム要素、及び
開口を画定する、相互に略平行な少なくとも２つの鉛直要素
を有するフレームアセンブリと、
該フレームアセンブリを略平行な第１及び第２束柱それぞれに固定する少なくとも２つのフレームアセンブリアタッチメントと
を備え、前記束柱は、前記フレームアセンブリアタッチメントを受ける複数の規則的に離間したアタッチメント受け要素を有するキット。
【請求項８７】
請求項８６に記載のキットにおいて、前記水平フレーム要素又は前記鉛直要素は一体型であるキット。
【請求項８８】
請求項８６に記載のキットにおいて、前記水平フレーム要素は第１及び第２水平フレーム要素を備えるキット。
【請求項８９】
請求項８６に記載のキットにおいて、前記鉛直フレーム要素は第１及び第２鉛直フレーム要素を備えるキット。
【請求項９０】
請求項８６に記載のキットにおいて、前記フレームアセンブリは窓アセンブリであるキット。
【請求項９１】
請求項８６に記載のキットにおいて、前記フレームアセンブリはドアアセンブリであるキット。
【発明の詳細な説明】
【技術分野】
【０００１】
開示する主題は、包括的には建設工事の分野に関し、より詳細には展開型建築構造物に関する。
【背景技術】
【０００２】
建築構造物キットには多くのタイプがある。これらの建築構造物は、通常は建設現場で互いに組み立てることができる構成要素を含むキットの形態をとる。しかしながら、このようなキットは、限られた数の部品しか有さないのが普通であり、したがっていくつかの単純な青写真に従って建築物を組み立てる役割しか果たさない。さらに、多くの既存のキットは、限られた構造剛性しか有さないので、これらのキットを用いて組み立てた建築物は、通常は上屋等の比較的単純な建築物である。
【０００３】
キットを用いて建築物を組み立てる場合、建築業者は、キット構成要素を組み立てるために従来の測定技法の使用に頼らざるを得ず、これには測定手順に起因した誤差及び遅延のあらゆる危険が伴う。
【０００４】
さらに、キットを用いて建築物を組み立てる場合、これらのキットは、建築物を完全に仕上げるために追加部品で補わなければならない。したがって、通常は何らかの従来の建設技法を用いなければならないことにより、キットがもたらす利点が少なくなる。これらの建設技法では、多くの場合、建設現場で木片及び他の材料片を切断する必要がある。したがって、あらゆる誤差の危険を伴って測定を行うと共に、材料片を切断する必要があり、これにより、使用不可能な比較的小さな材料片が残って廃棄されることが多い。したがって、これらの従来の建設技法は、比較的時間がかかり比較的多量の廃棄物を発生させる。
【０００５】
同様に、キットを用いて組み立てる現在のモジュール式建築物では、建築物が全体的に組み立てられ、構造物を分解して構造物を元の構成又は別の構成に組み立て直す可能性はない。これは、オリジナルキットのいくつかの要素を解体プロセス中に破壊しなければならないからである。
【０００６】
さらに、既存の建築物では、組立時にキットを用いたか従来の建設技法を用いたかに関係なく、通常は建築物内部と建築物外部との間に多くの熱橋がある。これらの熱橋は、建築物の内壁と外壁との間に絶縁材が通常は挿入されることにより生じる。これらの内壁及び外壁は、通常は間柱に取り付けられる。したがって、これらの間柱がある場所には絶縁材が設けられず、建築物の内外間でこれらの間柱を通して熱が伝達され得る。熱橋は通常、冬場は比較的大きな熱損失を引き起こし、夏場は建築物への熱の進入を引き起こす。
【０００７】
したがって、新規の改良された建築構造物を提供することが当業界で必要とされている。
【発明の概要】
【発明が解決しようとする課題】
【０００８】
したがって、本発明の目的は、改良された展開型建築構造物を提供することである。
【課題を解決するための手段】
【０００９】
「展開型」という用語は、本発明の建築構造物が分解可能且つ再組立可能な組立式部品の組み立てから建設されることを意味するためのものである。本発明の展開型建築構造物は、家族の展開に応じた必要に合わせて、又は新規所有者に合わせて容易に変更することができる。特に窓、ドア、及び内壁は、建築構造物内で移動させることができる。外的状況では、展開型建築構造物全体を分解し、移動させ、他の場所で異なる構成又は同じ構成に組み立て直すことができる。本発明の展開型構造物は、展開型建築構造物の建設に用いられ得るモジュールを構成するためにそのような組立式部品から予め組み立てることができる。
【００１０】
第１実施形態では、分解可能且つ再組立可能な建築構造物を施工するための測定不要システムであって、
複数の取り外し可能なアタッチメントを係入する複数の規則的に離間したアタッチメント受け要素を有する複数の束柱及び根太を備えた、複数の組立式建築構成要素を、第１構成の建築構造物に組み立て、アタッチメントは、複数の束柱及び根太を分解可能に接合し、
規則的に離間したアタッチメント受け要素の規則的な位置決めにより、測定不要アセンブリを提供し、建築構造物は、部分的又は完全に分解可能且つ第１構成又は異なる構成に再組立可能である測定不要システムを開示する。
【００１１】
根太は、相互に接続されて根太梁を形成する少なくとも１つの細長の根太セクションを備え得る。
【００１２】
根太は、少なくとも２つの細長の根太セクションを相互に接合して根太を形成する少なくとも１つの固定部材をさらに備え得る。
【００１３】
束柱及び根太はそれぞれ、配管、配線、暖房、換気、空調（ＨＶＡＣ）ダクティング、及び／又はセントラルバキュームダクティングを受ける少なくとも１つの開口をさらに備え得る。
【００１４】
さらに別の実施形態では、分解可能且つ再組立可能な建築構造物を施工するためのキットであって、
第１外壁パネルアタッチメント及び第２外壁パネルアタッチメントを備えた、構造物の内部及び外部を画定する外壁パネルと、
少なくとも２つの略細長の束柱であり、第１壁パネルアタッチメント及び第２壁パネルアタッチメントの一方をそれぞれ受け止める少なくとも１つのアタッチメント受け要素をそれぞれが備えることにより、第１壁パネルアタッチメント及び第２壁パネルアタッチメントがアタッチメント受け要素に受け止められると、壁パネルが少なくとも２つの束柱から離間してパネルと束柱それぞれとの間に空間が画定される少なくとも２つの略細長の束柱と、
壁パネルに隣接して束柱それぞれの間に係合するよう構成した絶縁材と
を備え、空間は、構造物の内部と外部との間の熱橋効果を実質的に低減し、建築構造物を、部分的又は完全に分解されて第１構成又は異なる構成に組み立て直されるよう構成したキットを開示する。
【００１５】
絶縁材は、絶縁パネル、絶縁繊維、絶縁フォーム、吹き付け絶縁フォーム、ミネラルウール、セルロース、又はそれらの組み合わせから選択され得る。
【００１６】
絶縁パネルは、束柱それぞれの上に突出するリップをさらに備え得る。
【００１７】
第１壁パネルアタッチメント及び第２壁パネルアタッチメントはそれぞれ、絶縁パネルを所定位置に固定する固定要素をさらに備え得る。
【００１８】
固定要素は少なくとも１つの舌部であり得る。
【００１９】
さらに別の実施形態では、分解可能な外壁パネルアタッチメントであって、
適合するアタッチメント受け要素に受け止められる第１分解可能アタッチメント部材と、
適合する外壁パネルを受け止める第２分解可能アタッチメント部材と、
第１アタッチメント部材及び第２アタッチメント部材を接続するスペーサと
を備えた分解可能な外壁パネルアタッチメントを開示する。
【００２０】
スペーサは固定要素をさらに備え得る。
【００２１】
固定要素は少なくとも１つの舌部であり得る。
【００２２】
さらに別の実施形態では、３次元軸に沿って調整可能な束柱アンカーであって、
建築基礎に埋設され、第１軸に沿って調整可能な装着部材を有するベース部材と、
保持部材であり、
装着部材に取り付け可能であり、第２軸に沿って調整可能な座部、及び
束柱を受け、第３軸に沿って調整可能な冠部
を有する保持部材と
を備え、基礎と正確に位置合わせされてそこに取り付ける束柱を水平にするよう３次元軸に沿って調整可能である束柱アンカーを開示する。
【００２３】
装着部材は、第１軸に沿った座部の調整を可能にする第１調整部材を備え得る。
【００２４】
装着部材は少なくとも１つのねじロッドを備え得る。
【００２５】
装着部材は２つのねじロッドからなり得る。
【００２６】
装着部材は装着継手を備え得る。
【００２７】
装着継手は蟻継ぎであり得る。
【００２８】
第１調整部材はねじロッドを挿嵌させるねじナットを備え得る。
【００２９】
座部は、第２軸に沿った座部の調整を可能にする第２調整部材を備える。
【００３０】
第２調整部材は少なくとも１つの開口を備え得る。
【００３１】
第２調整部材は２つの開口を備え得る。
【００３２】
少なくとも１つの開口は、略円形、卵形、楕円形、及び矩形の開口の少なくとも１つであり得る。
【００３３】
第２調整部材は固定部材を受けるよう構成され得る。
【００３４】
冠部は、第３軸に沿った冠部の調整を可能にする第３調整部材を備え得る。
【００３５】
第３調整部材は少なくとも１つの開口を備え得る。
【００３６】
少なくとも１つの開口は、略円形、卵形、楕円形、及び矩形の開口の少なくとも１つであり得る。
【００３７】
第３調整部材は、冠部を座部に固定する少なくとも１つの固定部材を受け得る。
【００３８】
少なくとも１つの固定部材は、ねじボルト及びねじナットであり得る。
【００３９】
冠部は束柱受け部材を備え得る。
【００４０】
束柱受け部材は締結具受け要素を備え得る。
【００４１】
束柱受け部材はブラケットを備え得る。
【００４２】
束柱アンカーは、建築基礎への埋設、機械的固着、及び／又は接着的固着により、上記基礎に固着され得る。
【００４３】
さらに別の実施形態では、分解可能な床アンカーシステム用のキットであって、
少なくとも２つの根太であり、根太に沿った所定位置に位置付けた少なくとも１つのブリッジ要素をそれぞれが備える少なくとも２つの根太と、
ブリッジ要素に受け止められるラグを各端に備える少なくとも１つの二次根太と
を備え、二次根太は、少なくとも２つの根太のそれぞれに挿入されると、少なくとも２つの根太に対して略垂直となり、床材面を受ける平面を形成し、
分解可能な床アンカーシステムを部分的又は完全に分解して第１構成又は異なる構成に組み立て直すことができるキットを開示する。
【００４４】
根太は２つ以上のブリッジ要素を備え得る。
【００４５】
２つ以上のブリッジ要素は固定の規則的間隔で離間し得る。
【００４６】
ラグは締結具受け要素をさらに備え得る。
【００４７】
根太は少なくとも１つの締結具受け要素を備え得る。
【００４８】
根太は複数の締結具受け要素を備え得る。
【００４９】
二次根太は少なくとも１つの締結具受け要素を備え得る。
【００５０】
二次根太は複数の締結具受け要素を備え得る。
【００５１】
締結具受け要素は固定の規則的間隔で離間し得る。
【００５２】
根太は、相互に接続されて根太を形成する少なくとも２つの根太セクションを備え得る。
【００５３】
根太は、少なくとも２つの根太セクションを相互に接合して根太を形成する少なくとも１つの固定部材をさらに備え得る。
【００５４】
梁は、配管、配線、暖房、換気、空調（ＨＶＡＣ）ダクティング、及び／又はセントラルバキュームダクティングを受ける少なくとも１つの開口をさらに備え得る。
【００５５】
さらに別の実施形態では、分解可能且つ再組立可能な床構造物を組み立てる方法であって、
ａ）上述の複数の根太及び複数の二次根太を備えた複数の組立式床構成要素を、複数の根太を相互に平行に配置し、二次根太の各端に設けたラグを各対向ブリッジ要素に挿入することにより、分解可能な床構造物に組み立てるステップ
を含み、根太及び二次根太は、相互に対して略垂直であり、床材面を受ける平面を形成し、床構造物は、部分的又は完全に分解可能且つ第１構成又は異なる構成に再組立可能である方法を開示する。
【００５６】
本方法は、ステップａ）の後に、
ｂ）複数の二次根太を複数の根太に締結するステップ
をさらに含み得る。
【００５７】
本方法は、ステップｂ）の後に、
ｃ）分解可能な床構造物に床材面を重ねるステップ
をさらに含み得る。
【００５８】
さらに別の実施形態では、分解可能な床を組み立てる方法であって、
ａ）上述の複数の根太及び複数の二次根太、並びに複数の床用タイルを備えた組立式床構成要素を、複数の根太を相互に平行に配置し、二次根太の各端に設けたラグを各対向ブリッジ要素に挿入することにより、分解可能な床構造物に組み立てることによって、複数の床用タイルを受ける平面を形成するステップと、
ｂ）複数の床用タイルを分解可能な床構造物に重ねるステップと
を含み、根太及び二次根太は、相互に対して略垂直であり、複数の床用タイルを受ける平面を形成し、床構造物を部分的又は完全に分解して第１構成又は異なる構成に組み立て直すことができる方法を開示する。
【００５９】
本方法は、ステップｂ）の後に、
ｉ）床用タイルを重ねる前又は重ねた後に複数の二次根太を複数の根太に締結するステップ
をさらに含み得る。
【００６０】
さらに別の実施形態では、分解可能な胴縁支持材であって、
分解可能な胴縁把持部材であり、
スペーサ、及び
スペーサの両端に接続した第１及び第２フック部材
の少なくとも一方を備えた分解可能な胴縁把持部材と、
適合するアタッチメント受け要素に受け止められて分解可能な胴縁把持部材に接続される分解可能なアタッチメント部材と
を備えた分解可能な胴縁支持材を開示する。
【００６１】
胴縁支持材は一体的であり得る。
【００６２】
さらに別の実施形態では、分解可能且つ再組立可能な壁支持システム用のキットであって、
少なくとも１つの胴縁と、
少なくとも２つの上記胴縁支持材と
を備えたキットを開示する。
【００６３】
さらに別の実施形態では、分解可能且つ再組立可能な壁用のキットであって、
内部及び外部を画定する壁パネルと、
少なくとも１つの胴縁と、
少なくとも２つの上記胴縁支持材と、
少なくとも２つの略細長の束柱であり、胴縁支持材を受け止める少なくとも１つのアタッチメント受け要素をそれぞれが備えることにより、少なくとも１つの胴縁が少なくとも２つの胴縁支持材に受け止められると、壁パネルが少なくとも２つの略細長の束柱から離間されてパネルと略細長の束柱それぞれとの間に空間が画定される少なくとも２つの略細長の束柱と
を備え、空間は、分解可能な壁の内部と外部との間の熱橋効果を実質的に低減し、壁を部分的又は完全に分解して第１構成又は異なる構成に組み立て直すことができるキットを開示する。
【００６４】
本キットは、壁パネルに隣接して束柱それぞれの間に係合するよう構成した絶縁要素をさらに備え得る。
【００６５】
絶縁要素は、絶縁パネル、絶縁繊維、及び絶縁フォームの少なくとも１つであり得る。
【００６６】
胴縁は消音材から作られ得る。
【００６７】
さらに別の実施形態では、分解可能な胴縁支持材であって、
少なくとも１つの細長の平面部材であり、
胴縁を固定する第１及び第２フック部材を有する少なくとも１つの胴縁把持部材と、
適合するアタッチメントを受ける複数の規則的に離間したアタッチメント受け要素と
を備えた少なくとも１つの細長の平面部材
を備えた分解可能な胴縁支持材を開示する。
【００６８】
分解可能な胴縁支持材は、スペーサ部材により接続した２つの細長の平面部材を備え得る。
【００６９】
分解可能な胴縁支持材はＵ字形であり得る。
【００７０】
胴縁支持材は一体的であり得る。
【００７１】
さらに別の実施形態では、分解可能且つ再組立可能な壁支持システム用のキットであって、
少なくとも１つの胴縁と、
少なくとも２つの上記胴縁支持材と
を備えたキットを開示する。
【００７２】
さらに別の実施形態では、分解可能且つ再組立可能な壁用のキットであって、
内部及び外部を画定する壁パネルと、
少なくとも１つの胴縁と、
少なくとも２つの上記胴縁支持材と、
少なくとも２つの略細長の束柱であり、分解可能な胴縁支持材を受け止める少なくとも１つのアタッチメント受け要素をそれぞれが備えることにより、少なくとも１つの胴縁が少なくとも２つの胴縁支持材に受け止められると、壁パネルが少なくとも２つの略細長の束柱から離間されてパネルと略細長の束柱それぞれとの間に空間が画定される少なくとも２つの略細長の束柱と
を備え、空間は、分解可能な壁の内部と外部との間の熱橋効果を実質的に低減し、壁を部分的又は完全に分解して第１構成又は異なる構成に組み立て直すことができるキットを開示する。
【００７３】
本キットは、壁パネルに隣接して束柱それぞれの間に係合するよう構成した絶縁要素をさらに備え得る。
【００７４】
絶縁要素は、絶縁パネル、絶縁繊維、及び絶縁フォームの少なくとも１つであり得る。
【００７５】
胴縁は消音材から作られ得る。
【００７６】
さらに別の実施形態では、分解可能な電気接続箱支持材であって、
分解可能な胴縁把持部材であり、
スペーサ、及び
スペーサの両端に接続した第１及び第２フック部材
の少なくとも一方を備えた分解可能な胴縁把持部材と、
分解可能な胴縁支持材に接続され、少なくとも１つの電気接続箱を収容する開口を備えたハウジングと
を備えた分解可能な電気接続箱支持材を開示する。
【００７７】
分解可能な電気接続箱支持材は一体的であり得る。
【００７８】
分解可能な電気接続箱支持材は少なくとも１つの電装箱を内部にさらに備え得る。
【００７９】
さらに別の実施形態では、分解可能且つ再組立可能なフレーム用のキットであって、
内面及び外面を有するフレームアセンブリであり、
内面に面しており、フレームアセンブリを略平行な第１及び第２束柱に固定する少なくとも２つのフレームアセンブリアタッチメント
を備え、束柱は、フレームアセンブリアタッチメントを受ける複数の規則的に離間したアタッチメント受け要素を有する、フレームアセンブリと、
第１及び第２胴縁受け棒材であり、
少なくとも１つの胴縁を受ける少なくとも１つの胴縁把持部材
を備え、略平行な第１及び第２束柱に対して略垂直に固定されてフレームアセンブリの周りに境界を形成するよう構成した、第１及び第２胴縁受け棒材と
を備えたキットを開示する。
【００８０】
胴縁把持部材は、胴縁を固定する第１及び第２フック部材を備え得る。
【００８１】
胴縁受け棒材は、２つの胴縁を受けるよう構成され得る。
【００８２】
フレームアセンブリは、窓アセンブリ又はドアアセンブリであり得る。
【００８３】
本発明の主題の特徴及び利点は、添付図面に示すように、以下の選択実施形態の詳細な説明に照らしてより明確となるであろう。認識されるように、開示し特許請求される主題は、特許請求の範囲から逸脱することなく種々の態様で変更可能である。したがって、図面及び説明は、事実上説明であって限定ではないとみなされ、主題の全範囲が特許請求の範囲に記載される。
【図面の簡単な説明】
【００８４】
【図１Ａ】本発明の一実施形態による建築構造物の図を示す。
【図１Ｂ】本発明の一実施形態による建築構造物の図を示す。
【図２Ａ】本発明の一実施形態による略細長の束柱の背面斜視図を示す。
【図２Ｂ】本発明の一実施形態による略細長の束柱の正面斜視図を示す。
【図３Ａ】本発明の一実施形態による根太又は梁の斜視図を示す。
【図３Ｂ】本発明の一実施形態による根太又は梁の斜視図を示す。
【図３Ｃ】本発明の一実施形態による根太又は梁の斜視図を示す。
【図４】本発明の一実施形態による略細長の束柱の側面図を示す。
【図５】本発明の一実施形態による根太又は梁の斜視図を示す。
【図６Ａ】本発明の一実施形態による壁構造物の側面斜視図を示す。
【図６Ｂ】本発明の一実施形態による壁構造物の側面斜視図を示す。
【図６Ｃ】本発明の一実施形態による壁構造物の側面斜視図を示す。
【図７】本発明の一実施形態による分解可能な壁パネルアタッチメントの側面図を示す。
【図８Ａ】本発明の一実施形態による束柱アンカーの斜視図を示す。
【図８Ｂ】本発明の一実施形態による束柱アンカーの斜視図を示す。
【図８Ｃ】本発明の一実施形態による束柱アンカーの斜視図を示す。
【図９Ａ】本発明の一実施形態による分解可能な床アンカーシステムを示す。
【図９Ｂ】本発明の一実施形態による分解可能な床アンカーシステムを示す。
【図１０】本発明の一実施形態による分解可能な床アンカーシステムを示す。
【図１１Ａ】本発明の一実施形態による分解可能な床アンカーシステムを示す。
【図１１Ｂ】本発明の一実施形態による分解可能な床アンカーシステムを示す。
【図１２Ａ】本発明の一実施形態による壁パネル支持システムの側面図を示す。
【図１２Ｂ】本発明の一実施形態による壁パネル支持システムの側面図を示す。
【図１３Ａ】本発明の一実施形態による電気接続箱支持材の斜視図を示す。
【図１３Ｂ】本発明の一実施形態による電気接続箱支持材の斜視図を示す。
【図１３Ｃ】本発明の一実施形態による電気接続箱支持材の上面図を示す。
【図１３Ｄ】本発明の一実施形態による電気接続箱支持材の斜視図を示す。
【図１３Ｅ】本発明の一実施形態による電気接続箱支持材の正面図を示す。
【図１３Ｆ】本発明の一実施形態による電気接続箱支持材の正面斜視図を示す。
【図１３Ｇ】本発明の一実施形態による電気接続箱支持材の背面斜視図を示す。
【図１３Ｈ】本発明の一実施形態による電気接続箱支持材の正面斜視図を示す。
【図１３Ｉ】本発明の一実施形態による電気接続箱支持材の正面斜視図を示す。
【図１３Ｊ】本発明の一実施形態による電気接続箱支持材の正面斜視図を示す。
【図１４Ａ】本発明の一実施形態によるフレーム構造物の正面図を示す。
【図１４Ｂ】本発明の一実施形態によるフレーム構造物の正面図を示す。
【図１４Ｃ】本発明の一実施形態によるフレーム構造物の断面図を示す。
【図１５Ａ】本発明の一実施形態による天井野縁受け要素の側面斜視図を示す。
【図１５Ｂ】本発明の一実施形態による天井野縁受け要素の側面斜視図を示す。
【図１５Ｃ】本発明の一実施形態による天井野縁受け要素のフラットパターン図を示す。
【図１５Ｄ】本発明の一実施形態による天井野縁受け要素の側面図を示す。
【図１６Ａ】本発明の一実施形態によるフレームアセンブリの斜視図を示す。
【図１６Ｂ】本発明の一実施形態によるフレームアセンブリの斜視図を示す。
【図１６Ｃ】本発明の一実施形態によるフレームアセンブリの斜視図を示す。
【図１６Ｄ】本発明の一実施形態によるフレームアセンブリの斜視図を示す。
【発明を実施するための形態】
【００８５】
実施形態において、複数の取り外し可能なアタッチメントを係入する複数の規則的に離間したアタッチメント受け要素を有する複数の組立式建築構成要素を、第１構成の建築構造物に組み立てることにより、分解可能且つ再組立可能な建築構造物を施工するための測定不要システムであって、アタッチメントは、複数の組立式建築構成要素を分解可能に接合する、測定不要システムを開示する。規則的に離間したアタッチメント受け要素の規則的な位置決めにより、測定不要アセンブリを提供し、建築構造物は、部分的又は完全に分解可能且つ第１構成又は異なる構成に再組立可能である。
【００８６】
キットの種々の構成要素は、それらを取り付けられる他の構成要素に容易に取り付け可能であるような寸法である。したがって、本発明によるキットを用いて建築構造物を組み立てるために部品を切断する必要も測定する必要もない。しかしながら、構成要素のいくつかを使用前に切断する必要のある、本文献に記載のキットと同様のキットも本発明の範囲内にある。
【００８７】
当業者であれば、完全な建築構造物を施工するためのキットが本明細書で説明されているが、キットの一部のみを用いて代替的な家屋又は他の建築物の一部を組み立てることが本発明の範囲内にあることを容易に理解するであろう。さらに、キットは、例えば上屋、納屋、及びより大きな建築物、又はその一部等、他の建築構造物を組み立てるのにも有用である。
【００８８】
上述の構成要素の全てを含む特定の建築構造物を本文献に記載するが、当業者であれば、あまり複雑でない家屋を施工できるように構成要素のいくつかのみを含むキットがあることも本発明の範囲内にあることを容易に理解するであろう。同様に、上述していない他の構成要素を含むキットがあることも本発明の範囲内にある。
【００８９】
次に、図１Ａ〜図３Ｃを参照する。束柱１０及び根太２０等の複数の組立式束柱及び根太を第１構成の建築構造物に組み立てることにより、分解可能且つ再組立可能な建築構造物を施工するための測定不要システムを開示する。
【００９０】
図１Ａ及び図１Ｂに示すように、束柱１０及び根太２０は、図２Ａ及び図２Ｂの束柱に要素１２、１４、図３Ａに示す根太に要素２２及び２４等、複数の規則的に離間したアタッチメント受け要素を有する。当業者に理解され得るようなボルト、ロッド、及び適合ナット等の複数の取り外し可能なアタッチメントが、規則的に離間したアタッチメント受け要素１２、１４、２２、及び２４に係入され、アタッチメントは、複数の束柱１０及び根太２０を分解可能に接合している。規則的に離間したアタッチメント受け要素１２、１４、２２、及び２４の規則的な位置決めにより、測定不要アセンブリを提供し、建築構造物は、部分的又は完全に分解可能且つ第１構成又は異なる構成に再組立可能である。
【００９１】
束柱１０及び根太２０は、電気配線、光ファイバケーブル、又は構造物で使用する必要があり得る任意の所望のケーブル配線等の配管及び／又は配線を受けることができる。開口を用いて、暖房、換気、及び空調（ＨＶＡＣ）ダクティング、セントラルバキュームクリーナー用のダクティング、又は構造物に挿入する必要があり得る任意の他の要素を受けることもできる。
【００９２】
次に、図３Ｂ及び図３Ｃを参照する。本発明の建築構造物は、少なくとも１つの細長の根太セクション２０Ａ及び／又は２０Ｂから形成される根太２０を含む。細長の根太セクション２０Ａ／２０Ｂは、端同士を固定部材２８により接合され、固定部材２８は、両構造物上にあるアタッチメント受け要素への締結具の挿入により細長の根太セクションを接合することができる。使用する根太２０を組み立てる細長部は短いほど特に有利だが、これは、重い揚重設備を必要とせずに一人又は数人の作業員により取り扱うことができるセクションの製造が可能だからである。これは、森林地域で住宅構造物を組み立てる際に極めて有利である。長い根太の組み立てに通常必要な機械の通り道を作るために木を切り倒す必要がないからである。さらに、根太のセクションが標準のトラック積載量内に収まるので、セクションの輸送に長く重い機械が必要ない。
【００９３】
次に、図６Ａ〜図６Ｃを参照する。本発明の建築構造物は、構造物の内部及び外部を画定する壁パネル３２を有する分解可能且つ再組立可能な壁パネル構造物３０を施工するためのキットも含む。壁パネル３２を束柱１０に接続するために、壁パネルアタッチメント４０等のアタッチメントが用いられる。略細長の束柱１０のそれぞれが、壁パネルアタッチメント４０を受け止める複数のアタッチメント受け要素１４を有する。壁パネルアタッチメント４０がアタッチメント受け要素１４に受け止められると、壁パネル３２が束柱１０から離間し、壁パネル３２と束柱１０のそれぞれとの間に空間が画定されるようになる。壁パネル３２と束柱１０との間の空間は、構造物の内部と外部との間で生じ得る熱橋効果を実質的に低減する。壁構造物３０は、部分的又は完全に分解して第１構成又は異なる構成に組み立て直すことができる。
【００９４】
壁構造物３０をさらに絶縁するために、絶縁パネル３６を壁パネル３２と束柱１０との間に挿入することができる。他のタイプの絶縁材、例えば、ミネラルウール、ポリウレタン等の吹き付け絶縁フォーム、セルロース、又は任意の他のタイプの絶縁材料も考えられる。絶縁パネル３６は、壁パネル３２に隣接して束柱１０それぞれの間に摩擦係合させることができる。絶縁パネル３６は、束柱１０のそれぞれの上に突出するリップ３６Ｉを備え得ることで、熱橋効果をさらに低減することにより絶縁性を改善する。絶縁パネル３６の移動を防止するために、壁パネルアタッチメント４０に固定要素を設けることができる。固定要素は、任意の適当な締結具、例えば、ウェッジ又は壁パネルアタッチメント４０の一実施形態にある開口に挿通される短い細長片（short elongated piece）であり得る。固定要素は、壁パネルアタッチメント４０と一体的に、例えば、壁パネル３２に面する絶縁パネル３６の面の上に折り重なる壁パネルアタッチメント４０の一部として構成され得ることにより、絶縁パネル３６が壁パネル３２に向けて押されるのを防止する。図６Ａ〜図６Ｃに示すように、固定要素は、壁パネルアタッチメント４０から絶縁パネル３６に折り重なり得る舌部４８であり得る。
【００９５】
次に、図７を参照すると、本発明の分解可能な壁パネルアタッチメント４０は、束柱１０のアタッチメント受け要素１４等の適合するアタッチメント受け要素で受けることができる第１分解可能アタッチメント部材４２を備える。これは、適合する壁パネル３２を受け得る第２分解可能アタッチメント部材４４も備え、スペーサ４６がアタッチメント部材４２及び４４を相互に接続する。分解可能な壁パネルアタッチメント４０は、図７に示す舌部４８等の固定要素を備え得る。
【００９６】
次に、図８Ａ〜図８Ｃを参照する。本発明の建築構造物は、コンクリート基礎等の基礎上に施工するのに適している。束柱１０を固着するために、束柱アンカーが用いられる。本発明の束柱アンカー５０は、建築基礎Ｆに固着され得るベース部材５２を備える。ベース部材５２の固着は、基礎を最初に流し込む際にベース部材５２を基礎に埋設することにより行うことができる。固着は、接着系アンカーとすることもできる。接着系アンカーは、例えば、樹脂系接着システムを用いて基板、通常は石造及びコンクリートに結合される鋼製スタッド、ボルト、及びアンカレッジを備えた樹脂アンカーである。高荷重用途に理想的なのは、事実上全ての場合に、得られる結合が母材自体よりも強力なことであり、このシステムは化学的接着に基づいているので、拡張式アンカーのように母材に荷重応力を加えることがなく、したがって縁部付近の固着、狭い中心間距離（reduced center）、及び群状の固着（group anchoring）、並びに未知の品質又は低い圧縮強度のコンクリートでの使用に理想的である。固着は、機械的固着とすることもでき、その場合、機械的アンカーが従来の手段により基礎に（例えば穿孔に）挿入される。
【００９７】
ベース部材５２は、装着部材も備え得る。例えば、装着部材は、適当な装着継手（例えば、蟻継ぎ）を用いるロッド等、又はねじであり得る。保持部材６０がベース部材５２の上に配置され、これは、装着部材に装着可能な座部６２と、束柱１０を受けることができ第３軸に沿って調整可能な冠部６４とを備える。
【００９８】
アンカー５０の装着部材は、第１軸に沿って調整可能にするために第１調整部材を備える。例えば、複数のねじロッド５４がベース部材６２に配置され、座部６２をねじロッド５４からなる装着部材に取り付ける際に、装着部材に対する座部６２の位置を、ねじロッド５４へのねじナットの適当な組み付けを用いて調整することができる。
【００９９】
座部６２は、第２軸に沿った座部６２の調整を可能にする第２調整部材を備える。例えば、座部６２は、装着部材（例えば、ねじロッド５４）を受けることができる１つ又は複数の開口６６を備え得る。開口６６は、選択された好適な装着部材の形状に対応するよう略円形、卵形、楕円形、又は矩形として整形されることが適している。第２調整部材は、装着部材の周りに空間を残しつつ装着部材を受け入れることができるので、束柱アンカー５０を建築構造物全体の他の束柱アンカー５０と位置合わせする必要に応じて、座部６２を第２軸に沿って所望の方向に前後移動させて座部６２の位置を調整することができる。
【０１００】
束柱アンカー５０の冠部６４も、第３軸に沿った冠部の調整を可能にする第３調整部材を備える。例えば、冠部６４は、固定部材（例えば、ナットで固定されるねじボルト７０）を受けることができる１つ又は複数の開口６８を備え得る。開口６８は、選択された好適な固定部材の形状に対応するよう略円形、卵形、楕円形、又は矩形として整形されることが適している。第３調整部材は、固定部材の周りに空間を残しつつ固定部材を受け入れることができるので、束柱アンカー５０を建築構造物全体の他の束柱アンカー５０と位置合わせする必要に応じて、冠部６４を第３軸に沿って所望の方向に前後移動させて冠部６４の位置を調整することができる。したがって、３つの調整部材は、３次元軸に沿った束柱アンカー５０の調整を可能にすることにより、それに取り付けられた束柱１０を水平にする。
【０１０１】
束柱１０を束柱アンカー５０に接続するために、冠部６４は束柱受け部材８０を備える。束柱受け部材は、束柱１０の規則的に離間したアタッチメント受け要素１２と一致する１つ又は複数の締結具受け要素８２を有することにより、適当なアタッチメントをそこに挿入して束柱１０を束柱アンカー５０の冠部６４に固定することができる。図８Ａ〜図８Ｃに例示するように、束柱受け要素はＵ字形ブラケットを備えるが、任意の適当な形状のブラケットを束柱受け部材として用いることができる。
【０１０２】
次に、図９Ａ及び図９Ｂを参照する。本発明の建築構造物は、分解可能な床アンカーシステムも含む。床アンカーシステムは、根太２０を有し、根太２０は、根太２０に沿った所定の位置に位置付けた１つ又は複数のブリッジ要素９２を備える。ブリッジ要素９２は、固定の規則的間隔で離間させることもできる。根太２０は、相互に接続されて根太２０を形成する少なくとも２つの根太セクション（２０Ａ／２０Ｂ）を備え得る。根太セクションは、端同士を固定部材２８により接合され、固定部材２８は、両構造物上にあるアタッチメント受け要素への締結具の挿入により細長の根太セクションを接合することができる。使用する根太２０を組み立てる細長部は短いほど特に有利だが、これは、重い揚重設備を必要とせずに一人又は数人の作業員により取り扱うことができるセクションの製造が可能だからである。これは、森林地域で住宅構造物を組み立てる際に極めて有利である。長い根太の組み立てに通常必要な機械の通り道を作るために木を切り倒す必要がないからである。さらに、根太のセクションが標準のトラック積載量内に収まるので、セクションの輸送に長く重い機械が必要ない。さらにこれは、配管、配線、暖房、換気、空調（ＨＶＡＣ）ダクティング、及び／又はセントラルバキュームダクティングを受ける開口を例えば備え得る、多機能根太セクションの接合を可能にする。
【０１０３】
床アンカーシステムは、ブリッジ要素９２で受けることができるラグ１０２を各端に備える二次根太１００も有する。二次根太１００は、根太２０に対して略垂直に根太に挿入され、床材面、例えば図１０に示す床用タイルＴ、又は他の適当な床用タイルを受けることができる平面を形成する。本発明の床アンカーシステムは、部分的又は完全に分解して第１構成又は異なる構成に組み立て直すことができる。これは、床材面が建築構造物の所与の階又はレベルで建設段階を完了するために必要である場合に有用であり、建設段階完了時に床材を完全又は部分的に分解して、構造物内に例えばさらなる建材又は機械用の入口点を作ることができる。
【０１０４】
床アンカーシステムをさらに強化するために、根太２０及び二次根太１００を相互に可逆的に接合することができる。一実施形態では、二次根太１００にあるラグ１０２は、根太２０にある締結具受け要素９４と一致する締結具受け要素１０４を備え得る。適当な締結具をそこに挿入して、二次根太１００を根太２０に可逆的に接合することができる（図９Ａ及び図９Ｂを参照）。別の実施形態では、二次根太１００は、根太２０にある締結具受け要素９６と一致する１つ又は複数の締結具受け要素１０６を各端に備える。適当な締結具をそこに挿入して、二次根太１００を根太２０に可逆的に接合することができる（図５、図１１Ａ、及び図１１Ｂを参照）。
【０１０５】
本発明の床アンカーシステム上に配置した床材面をさらに強化するために、根太２０及び二次根太１００は、所定の位置に配置され且つ／又は固定の規則的間隔で離間し得る１つ又は複数の締結具受け要素９８又は１０８を含む。
【０１０６】
使用の際、分解可能且つ再組立可能な床構造物は、複数の根太２０及び複数の二次根太１００を含む複数の組立式床構成要素を組み立てることにより施工される。複数の根太２０は相互に平行に配置され、二次根太１００のラグ１０２は、各対向ブリッジ要素９２に挿入される。組み立て後、根太２０及び二次根太１００は、相互に対して略垂直であり、床材面（例えば、床タイルＴ）を受けることができる平面を形成する。床構造物は、ラグ１０２を二次根太１００から外すことにより、部分的又は完全に分解可能且つ第１構成又は異なる構成に再組立可能である。
【０１０７】
床構造物は、複数の二次根太１００を複数の根太２０に締結することにより強固にすることができ、床材面を分解可能な床構造物に重ねることにより、使用可能な床を施工することができる。複数の根太２０への複数の二次根太１００の締結は、床材面を平面上に配置する前又は配置した後に行うことができる。
【０１０８】
次に、図１５Ａ〜図１５Ｄを参照する。床張りの完了後、天井パネルを設置することができる。これは、根太２０に対して垂直に複数の天井野縁受け要素１１０を配置することにより達成することができる。天井野縁受け要素１１０は、好ましくは規則的に根太２０に配置した受け要素１１２に挿入される。天井野縁受け要素１１０は、通常の手段により締結されてもよく、又は受け要素１１２へ挿入される端部を、受け要素１１２内に固定するために曲げてもよい。続いて、胴縁１３０を胴縁把持部材１１６に挿入することができ、胴縁把持部材１１６は、天井野縁受け要素１１０の長さに沿って配置され、天井野縁受け要素１１０の長さだけ分離された対向するフック部材１１８を有する。天井パネルを胴縁１３０に取り付けて、天井を構成することができる。天井パネルは、任意のタイプの壁パネル、例えば、木、乾式壁パネル等であり得る。
【０１０９】
実施形態において、分解可能且つ再組立可能な壁用のキットも開示する。このキットは、１つ又は複数のスペーサ１２４を備えた分解可能な胴縁把持部材１２２と、スペーサ１２４の両端に接続したフック部材１２６とを有する、分解可能な胴縁支持材１２０（図１２Ａを参照）を含む。分解可能な胴縁支持材１２０は、分解可能な胴縁把持部材１２２に接続した分解可能なアタッチメント部材１２８も有する。分解可能なアタッチメント部材１２８は、束柱１０の要素１４等の適合するアタッチメント受け要素で受けることができる。分解可能な胴縁支持材１２０は、単一の一体的な材料片として製造することができる。胴縁支持材１２０の材料は、必要であれば組み立てた壁に防音レベルを追加するための消音材であり得る。壁パネルは、任意のタイプの壁パネル、例えば、木、乾式壁パネル等であり得る。
【０１１０】
キットは、分解可能な胴縁支持材２１０の別の実施形態も備えることができ、この実施形態は、第１及び第２フック２１４を有する少なくとも１つの胴縁把持部材２１４を含む細長の平面部材２１２を備える。複数の胴縁把持部材が、複数の胴縁１３０に対応するよう細長の平面部材の縁に配置され得る。さらに、細長の平面部材は、胴縁支持材２１０を束柱１０に取着するよう適合するアタッチメントを受けることができる、複数の規則的に離間したアタッチメント受け要素を備える。分解可能な胴縁支持材２１０は、スペーサ部材により相互に略平行に保持された２つの細長の平面部材を備え得る。例えば、分解可能な胴縁支持材２１０は、Ｕ字形の一体構造であり得る。
【０１１１】
使用の際、分解可能且つ再組立可能な壁支持システムは、胴縁１３０及び２つ以上の胴縁支持材１２０又は２１０を備える。胴縁１３０が胴縁支持材１２０又は２１０に挿入されて支持され、アセンブリが略細長の束柱１０に装着され得る。また、分解可能且つ再組立可能な壁用のキットは、内部及び外部を画定する１つ又は複数の壁パネル１４０と、１つ又は複数の胴縁１３０と、２つ以上の胴縁支持材１２０又は２１０とを備える。壁パネル１４０は、任意のタイプの壁パネル、例えば、木、乾式壁パネル等であり得る。使用の際、胴縁１３０は、胴縁支持材１２０又は２１０に受け止められ、２つ以上の略細長の束柱１０のアタッチメント受け要素（例えば、要素１４）に装着される。壁パネル１４０は、胴縁１３０及び胴縁支持材１２０又は２１０を組み合わせる前又は組み合わせた後に胴縁１３０に固設され得る。組み立てられ略細長の束柱１０に装着されると、壁パネル１４０は、壁パネル１４０と略細長の束柱１０それぞれとの間に空間が画定されるように略細長の束柱から離間する。そこに画定された空間は、分解可能な壁システムの内部と外部との間の熱橋効果を実質的に低減する。壁の絶縁性を補うために、壁パネル１４０に隣接して絶縁要素を加え、略細長の束柱１０それぞれの間に係合させてもよい。絶縁要素は、絶縁パネル、絶縁繊維、又は絶縁フォーム、吹き付け絶縁フォーム（例えば、ポリウレタンフォーム）、ミネラルウール、セルロース、又は任意の他のタイプの絶縁材、又はそれらの組み合わせであり得る。
【０１１２】
次に、図１３Ａ〜図１３Ｊを参照すると、本発明は、１つ又は複数のスペーサ１６４とスペーサ１６６に接続したフック部材１６６とを有する分解可能な胴縁把持部材１６２を備えた、分解可能な電気接続箱支持材１６０も含む。一実施形態によれば、分解可能な胴縁把持部材１６２は、スペーサ１６４の両端に接続した２つのフック部材１６６を備え得る（図１３Ａ〜図１３Ｊ）。ハウジング１６８が、分解可能な胴縁把持部材１６２に接続される。ハウジング１６８は、少なくとも１つの電気接続箱Ｂ（図１３Ａ及び図１３Ｂ）を収容することができる開口を含む。別の実施形態によれば、ハウジング１６８は、２つ以上の電気接続箱Ｂ又は図１３Ｄ〜図１３Ｆ、図１３Ｈ、及び図１３Ｊに示す２つのスロット付いた１つの大きな電装箱Ｂを収容することが可能な開口を含み得る。分解可能な電気接続箱支持材１６０は、単一の材料片から一体的に作ることができ、電装箱Ｂをすでに収納した状態で準備することもできる。一実施形態によれば、分解可能な胴縁把持部材１６２は、直角又は直角以外の角度でスペーサ１６４に接続され得る。好ましくは、分解可能な胴縁把持部材１６２は、鈍角（図１３Ｃ）で、例えば約１００°〜約１２０°で、又は約１００°〜１１０°で、好ましくは１１０°でスペーサ１６４に接続され得る。
【０１１３】
使用の際、電装箱Ｂは、胴縁１３０に対するその位置決め前に、分解可能な電気接続箱支持材１６０に挿入されることが好ましい。電装箱Ｂは、分解可能な電気接続箱支持材１６０を胴縁１３０に対して位置決めする前に挿入することもできる。電装箱Ｂは、ハウジング１６８及び／又はスペーサ１６４に予め形成した任意の適当な固設要素を介して分解可能な電気接続箱支持材１６０に固設され得る。一実施形態によれば、固設要素は、ねじ等の従来の締結具を受けるよう予め形成した孔であってもよいが、当該技術分野で既知の他の一般的に用いられる手段も考えられる。例えば、相補的なクリップ及び溝、又は摩擦係合手段が適している。分解可能な電気接続箱支持材１６０は、胴縁１３０のリムがフック部材１６６に挿入されるよう手の圧力で胴縁１３０に装着される。分解可能な電気接続箱支持材１６０は、鉛直梁の位置とは無関係な胴縁１３０上の任意の位置での電装箱Ｂの位置決めを可能にする。
【０１１４】
次に、図１４Ａ〜図１４Ｃを参照する。本発明は、内面及び外面を有する窓アセンブリ又はドアアセンブリ等のフレームアセンブリ１４１０を備えた分解可能且つ再組立可能なフレーム１４００用のキットも含む。フレームアセンブリの内部は、内面に面した少なくとも２つのフレームアセンブリアタッチメント１４３０を有する。フレームアセンブリアタッチメント１４３０は、フレームアセンブリ１４００を略平行な第１及び第２束柱１０それぞれに固定することができる。束柱１０は、例えば締結具１４３１の挿入によりフレームアセンブリアタッチメント１４３０を受けることができる複数の規則的に離間したアタッチメント受け要素を有する。代替的に、フレームアセンブリアタッチメント１４３０は、アタッチメント受け要素に直接挿入及び固定されるよう構成することができる。フレーム１４００は、少なくとも１つの胴縁１３０を受けることができる少なくとも１つの胴縁把持部材１４４０を備えた第１及び第２胴縁受け棒材１４２０も備える。胴縁受け棒材１４２０は、略平行な束柱のそれぞれに対して略垂直に固定されてフレームアセンブリ１４００の周りに境界を形成することができる。胴縁把持部材１４４０は、胴縁を固定するよう相互に対向し対面した第１及び第２フック部材を備える。胴縁受け棒材１４２０は、２つ以上の胴縁１３０を受けることができる。
【０１１５】
分解可能且つ再組立可能なフレーム１４００は、本明細書による建築構造物に窓を容易に設置するのに特に有利である。窓は、そのような目的で準備した空間に挿入する場合、建築物の外部から設置するのが一般的である。これは、地表面の高さに設置される窓では特に問題とならないが、地表面よりも上に設置される窓の場合、作業員が揚重設備及び／又は足場を用いて窓フレームを適当な高さに持ち上げなければならない。このタイプの作業は常に、作業員が設備又は足場から落下し得る危険度を含む。本発明のフレームでは、窓フレームが単純に建築構造物内に運ばれることが好ましく、作業員は、束柱１０及び胴縁受け棒材１４２０により画定される開口内に窓フレームを手動させて、必要に応じてそれらを固定するだけでよい。全作業を構造物内で行うことができ、その場合、地面まで大きな距離を落下する危険が実際にはない。窓フレーム１４００は、所望であれば建築構造物の外部から設置することもできる。
【０１１６】
次に、図１６Ａ〜図１６Ｄを参照する。本発明は、開口２１０を画定し、鉛直フレーム要素２２０及び水平フレーム要素２３０と少なくとも２つのフレームアセンブリアタッチメント２５０とを備えた、分解可能且つ再組立可能なフレームアセンブリ２００用のキットも含む。フレーム２００を用いて、内面及び外囲面を有する窓アセンブリ２１５又はドアアセンブリを組み立てることができる。フレームアセンブリアタッチメント２５０は、フレームアセンブリ２００を略平行な第１及び第２束柱１０それぞれに固定することができる。束柱１０は、例えば締結具の挿入によりフレームアセンブリアタッチメント２５０を受けることができる複数の規則的に離間したアタッチメント受け要素を有する。代替的に、フレームアセンブリアタッチメント２５０は、アタッチメント受け要素に直接挿入及び固定されるよう構成することができる。いくつかの実施形態によれば、フレームアセンブリアタッチメント２５０は、鉛直フレーム要素２２０と平行にこれに隣接した束柱１０の表面上の規則的に離間したアタッチメント受け要素に接続し得る（図１６Ｃ及び図１６Ｄ等）。別の実施形態によれば、フレームアセンブリアタッチメント２５０は、鉛直フレーム要素２２０に対して垂直な束柱１０の表面上の規則的に離間したアタッチメント受け要素に接続するよう整形及び／又は位置決めされ得る。鉛直フレーム要素２２０及び水平フレーム要素２３０は、一体型要素として製造してもよく、又は第１及び第２鉛直フレーム要素２２１及び２２２並びに第１及び第２水平フレーム要素２３１及び２３２等のいくつかの要素として製造してもよく、これらの要素は、規則的に離間したアタッチメント受け要素への締結具の挿入により束柱１０に締結することもできる。フレームアセンブリ２００は、窓アセンブリ２１５の挿入前に組み立てることができので、絶縁材も窓アセンブリの挿入前に加えることができる。これは、窓アセンブリが吹き付け絶縁材の膨張により生じる圧力により変形し得る材料からできている場合、例えばＰＣＶ製窓アセンブリに好都合である。窓フレーム２００は、所望であれば建築構造物の外部から設置することもできる。
【０１１７】
本明細書に提示した実施形態及び例は、特許請求の範囲に記載の主題の一般的性質を説明するものであり、限定的なものではない。当業者には、特許請求の範囲に開示した主題の趣旨及び範囲から逸脱せずに様々な用途に合わせて様々な方法でこれらの実施形態を容易に変更及び／又は適合できることが理解されるであろう。本発明の請求項は、本発明の主題の代替的な実施形態及び等価物の全てを無制限に含むことを理解されたい。本明細書で用いる語句、単語、及び用語は、説明であって限定ではない。法的に認められる場合、本明細書で引用する全ての引用文献の全体を参照により本明細書に援用する。当然ながら、本明細書に開示した種々の実施形態のいかなる態様も、可能な代替的な実施形態及び特徴の代替的な組み合わせの範囲内で組み合わせることができ、変更した特徴の組み合わせの全てが、特許請求の範囲に記載の主題の一部を形成すると理解されるものとする。
【図１Ａ】
2013525648.tif 000003
【図１Ｂ】
2013525648.tif 000004
【図２Ａ】
2013525648.tif 000005
【図２Ｂ】
2013525648.tif 000006
【図３Ａ】
2013525648.tif 000007
【図３Ｂ】
2013525648.tif 000008
【図３Ｃ】
2013525648.tif 000009
【図４】
2013525648.tif 000010
【図５】
2013525648.tif 000011
【図６Ａ】
2013525648.tif 000012
【図６Ｂ】
2013525648.tif 000013
【図６Ｃ】
2013525648.tif 000014
【図７】
2013525648.tif 000015
【図８Ａ】
2013525648.tif 000016
【図８Ｂ】
2013525648.tif 000017
【図８Ｃ】
2013525648.tif 000018
【図９Ａ】
2013525648.tif 000019
【図９Ｂ】
2013525648.tif 000020
【図１０】
2013525648.tif 000021
【図１１Ａ】
2013525648.tif 000022
【図１１Ｂ】
2013525648.tif 000023
【図１２Ａ】
2013525648.tif 000024
【図１２Ｂ】
2013525648.tif 000025
【図１３Ａ】
2013525648.tif 000026
【図１３Ｂ】
2013525648.tif 000027
【図１３Ｃ】
2013525648.tif 000028
【図１３Ｄ】
2013525648.tif 000029
【図１３Ｅ】
2013525648.tif 000030
【図１３Ｆ】
2013525648.tif 000031
【図１３Ｇ】
2013525648.tif 000032
【図１３Ｈ】
2013525648.tif 000033
【図１３Ｉ】
2013525648.tif 000034
【図１３Ｊ】
2013525648.tif 000035
【図１４Ａ】
2013525648.tif 000036
【図１４Ｂ】
2013525648.tif 000037
【図１４Ｃ】
2013525648.tif 000038
【図１５Ａ】
2013525648.tif 000039
【図１５Ｂ】
2013525648.tif 000040
【図１５Ｃ】
2013525648.tif 000041
【図１５Ｄ】
2013525648.tif 000042
【図１６Ａ】
2013525648.tif 000043
【図１６Ｂ】
2013525648.tif 000044
【図１６Ｃ】
2013525648.tif 000045
【図１６Ｄ】
2013525648.tif 000046
【手続補正書】
【提出日】平成24年3月5日(2012.3.5)
【手続補正１】
【補正対象書類名】特許請求の範囲
【補正対象項目名】請求項１
【補正方法】変更
【補正の内容】
【請求項１】
分解可能且つ再組立可能な建築構造物を施工するための測定不要システムであって、
複数の規則的に離間したアタッチメント受け要素（１２、１４、２２、２４）をそれぞれが有する複数の束柱（１０）及び根太（２０）を備えた、複数の組立式建築構成要素と、
前記複数の束柱（１０）及び根太（１２）を分解可能に接合するために前記規則的に離間したアタッチメント受け要素（１２、１４、２２、２４）に係入する複数の取り外し可能なアタッチメントと
を備え、前記規則的に離間したアタッチメント受け要素（１２、１４、２２、２４）は、分解可能且つ第１構成又は異なる構成に再組立可能である測定不要建築構造物の組み立てを可能にする測定不要システム。
【国際調査報告】
2013525648.tif 000047
2013525648.tif 000048
2013525648.tif 000049
2013525648.tif 000050